(57)【特許請求の範囲】
【請求項１】
矩形平板状体の対向する２辺に４分円筒状体を筒状になるように対峙して取り付け、矩形平板状体の部分を袋状に覆い該袋状の他端を手繰り紐としたこと、を特徴とする靴下装着補助具
【請求項２】
請求項１記載の発明において、４分円筒状体の対峙する辺に嵌合機構を設けたこと、を特徴とする靴下装着補助具
【発明の詳細な説明】
【技術分野】
【０００１】
本願発明は、靴下を簡易にかつ楽しんで履くことができるようにする補助具に関する。
【背景技術】
【０００２】
年寄りの人や脚の不自由な人にとって靴下を履くことが困難な場合が多いことから、簡易に靴下を履くことができる補助具が望まれてきており、従来から種々の工夫がなされてきた。
【０００３】
一例として、特開２００７―１２５３２６があるが、該発明は多数のバネ・硬質かつ長尺の板材・その他多数の部品から構成されているため、どうしても重い物となって操作性が悪く、ともすると身体に損傷を与えかねず、さらに、一つの靴下を左右から挟持するため、一つの靴下を履くのに、２つ１組の補助具を使用して、しかも同時に同じような操作をしなければならないものとなっている。
【０００４】
また、幼子や学童にとっては、素足で走り回りたいことから、靴下を履くことを嫌がる場合が多々あり、幼子や学童に靴下を履かせるために日常苦労している養育者も見受けられる。
さらに、介護の必要な年寄りであっても、靴下くらいは自分で履きたいという自立心のある人もいる。
このような場合、楽しみながら簡単に靴下を履くことができる補助具があれば好都合である。
【０００５】
【特許文献１】特開２００７―１２５３２６
【発明の開示】
【発明が解決しようとする課題】
【０００６】
本願発明は、上記のような事情のもとで考えだされたもので、構成部品数が少なく、簡便に使用できる靴下装着補助具を提供することを課題とする。
【０００７】
さらに、年寄りの人や脚の不自由な人を始めとして幼子や学童にも、楽しみながら簡易に靴下を履くことができる補助具を提供することを課題とする。
【課題を解決するための手段】
【０００８】
矩形平板状体の対向する２辺に４分円筒状体を筒状になるように対峙して取り付け、矩形平板状体の部分を袋状に覆ったり、またはおよび矩形平板状体の部分に紐を設けた靴下装着補助具とした。
この補助具によれば、靴下を該筒状体に被せてセットしておき、袋状体・紐の端部を握って靴下部分を前方に投げ出して、袋状体・紐の端部を手繰り寄せながら該筒状体の部分に足先を入れ、さらに手繰り寄せることによって靴下の装着が可能となる。
【０００９】
また、靴下を補助具の筒状体に被せる際、予め筒状体の径を小さくしておき、靴下を補助具の筒状体に被せた後、筒状体の径を大きくして、筒状体の対峙する辺を嵌合させ、筒状体の径を大きくしたままにして、靴下を履き易いようにした。
【００１０】
さらに、矩形平板状体の部分を袋状に覆う部分に、幼子や学童にはアップリケ・人気キャラクタ等、年寄りには年寄りの好む図柄等、の装飾を施すことによって、楽しみながら簡単に靴下を履くことができるようにした。
【発明の効果】
【００１１】
構成部品数が少なく、その上、身体を痛めるような硬質な素材が皆無であるから、安全に使用できる。
【００１２】
本願発明の靴下装着補助具によれば、以下のように極めて簡易に靴下を装着することができる。
予め靴下を図４に示すようにセットする。この作業は簡単であり、また、前もって介護者や養育者がセットしておくこともできる。
着用者が靴下を履くには、袋状体・紐の端部を握って靴下部分を前方に投げ出し（図５）、袋状体・紐の端部を手繰り寄せながら筒状体の部分に足先を入れ（図６）、さらに手繰り寄せることによって（図７、図８）靴下の装着が完了する。手繰り寄せる操作は片手でもできる操作である。
この際、着用者が椅子等に座っていれば、一層装着しやすい作業となる。
【００１３】
また、前以って、靴下をセットしておけば、随時使用に供することができ、特に幼子や学童の面倒見に追われる養育者にとって至便なものとなる。
【００１４】
さらに、簡易小型なものであって、その上装飾を施せるものであるから、日常生活する場所に置いておいても支障がなく、保管に気を使わなくて済むものである。
【００１５】
さらに、幼子や学童にとっても、該補助具の袋状体・紐の端部を手繰り寄せるという行動は至って容易な操作であり、かつ、操作そのものも楽しい動きであり、その上、該補助具に人気アニメやキャラクター等の装飾が施されてあれば、一層楽しんで積極的に靴下を履くようになる。
【発明を実施するための最良の形態】
【００１６】
図１に、本願発明の靴下装着補助具の実施例の一（実施例１）を示す。
図２に、本願発明の靴下装着補助具の実施例の二（実施例２）を示す。
図３に、本願発明の筒状体の対峙する辺に設けた嵌合機構の実施例を示す。
図４は、本願発明の靴下装着補助具に靴下をセットした状態を示す。
図５ないし図８は、本願発明の靴下装着補助具を使って靴下を履く経過を示す。
【００１７】
矩形平板状体１３の対向する２辺に４分円に近い筒状体１１・１２を筒状になるように対峙して取り付ける。筒状体１１と１２は、隙間を有して対峙することになる。
矩形平板状体の形状は、日常使用するスリッパの底部分に相当する形状（図１）でも良いが、図２に示すような矩形であっても良く、また、左右の別は問われず、左右兼用にできることから１個の補助具でも使用上差し支えはない。
矩形平板状体に使用される材料は、日常使用するスリッパの材料程度で足りる。
【００１８】
筒状体１１・１２の形状は、足先部分の形状を考慮して決定されるが、靴下２０を履く際には（図５）脛部分も通過することから、脛部分の形状も考慮して決められる。
また、筒状体は、未使用時には隙間を有して対峙することになるが、靴下をセットし終わった際（図４）には、隙間が零となって足先が入る形状を保持できるように、筒状体の素材・形状が決定される。
筒状体は、日常使用するスリッパの足を覆う部分が２分された格好となるから、筒状体に使用される材料は、スリッパの材料では足りず、それより剛性の高い且つ厚目の素材が使用される。
また、矩形平板状体１３との取付部分は、通常のスリッパより強度の高い取付が要求される。
【００１９】
さらに、上記状態を保ち易くするために、筒状体１１・１２に、図３に示すような、嵌合機構（一例）を設けると良い。
即ち、靴下２０を補助具の筒状体に被せる際、予め筒状体の径を小さくしておき、靴下を補助具の筒状体に被せた後、筒状体の径を大きくして（図３の状態）、筒状体の対峙する辺を嵌合させ、筒状体の径を大きくしたままにしておくと、靴下を履き易くすることができる。
【００２０】
矩形平板状体１３を袋状に覆う場合（以下、この状態のものを「袋状体１５」という。）は図１のようになるが、筒状体１１・１２を覆っても良い。
むしろ、筒状体の部分を覆う方が、足との滑りが良くなり、また装飾性が優れたものとなるので、望ましい。
なお、袋状体１５の足と接触する部分は、摩擦の少ない・良く滑る素材が望ましい。
もっとも、本願発明の内容を簡略化して実現する場合には、図２に示すように、袋状体そのものを省略することも可能である。
実施例１（図１）では、全長を袋状体で覆い、袋状体の端部を手繰り寄せて、靴下２０を履くようにしているが、実施例２（図２）のように、紐１７で代用することも可能であり、また、袋状の覆いと紐を混用することも可能である。
【００２１】
袋状体１５には、適宜、幼子や学童用に人気アニメやキャラクター等、年寄りにはそれ相応の装飾（詳細省略）を施すことができる。
【００２２】
靴下２０を履く場合は、図４に示すように、靴下を筒状体１１・１２に被せておき、
袋状体１５・紐１７の端部を握って靴下で被われた筒状体を前方に投げ出し（図５）、袋状体・紐の端部を手繰り寄せながら筒状体の部分に足先を入れ（図６）、さらに手繰り寄せることによって（図７）、足は筒状体の内部を滑って靴下と共に靴下装着補助具１０から離れて行き、やがて靴下装着補助具は脛・ふくらはぎから外れて（図８）、一連の操作は完了することになる。
なお、手繰り寄せる操作は簡単な作業であり、かつ、力をそれほど要しないことから、片手でも容易な作業である。
【産業上の利用可能性】
【００２３】
本願発明は、靴下を履くという日常生活上不可欠の行為を補助するものであるから、利用する分野は広範囲に及び、幼子・学童の養育者の労務を軽減でき、また、年寄りの自立に役立ち、さらに介護者の負担を軽減し得るものであって、産業上の利用可能性は極めて高いものである。
【００２４】
また、本願発明は、製品化するに際しては小規模の製造業を活性化するのに役立つものであって、産業上有益なものである。
【図面の簡単な説明】
【００２５】
【図１】靴下装着補助具の実施例の一（実施例１）を示す斜視図である。
【図２】靴下装着補助具の実施例の二（実施例２）を示す斜視図である。
【図３】筒状体の対峙する辺に設けた嵌合機構の実施例を示す斜視図である。
【図４】靴下装着補助具に靴下をセットした状態を示す斜視図である。
【図５】靴下装着補助具を使って靴下を履く場合の靴下装着補助具を前方に投げ出した状態を示す斜視図である。
【図６】靴下装着補助具の筒状体の部分に足先を入れた状態を示す斜視図である。
【図７】靴下装着補助具を手繰り寄せはじめた状態を示す斜視図である。
【図８】靴下装着補助具が靴下・脛・ふくらはぎから外れはじめた状態を示す斜視図である。
【符号の説明】
【００２６】
１０    靴下装着補助具
１１    筒状体（その１）
１２    筒状体（その２）
１３    矩形平板状体
１５    袋状体
１７    紐
２０    靴下
【要約】
【課題】簡易かつ楽しみながら靴下を履くことができる補助具を提供する。
【解決手段】矩形平板状体の対向する２辺に４分円筒状体を筒状になるように対峙して取り付け、矩形平板状体の部分を袋状に覆ったり、またはおよび紐を設けた。筒状体に予め靴下をセットしておき、靴下で被われた筒状体を前方に投げ出し、袋状体・紐の端部を手繰り寄せながら筒状体の部分に足先を入れ、さらに手繰り寄せることにより、靴下を履くことができるようにした。また、筒状体の対峙する辺に嵌合機構を設けて、靴下をセットし易く、且つ、靴下を履き易くした。
【選択図】    図１【図１】
0004218038.tif 000002
【図２】
0004218038.tif 000003
【図３】
0004218038.tif 000004
【図４】
0004218038.tif 000005
【図５】
0004218038.tif 000006
【図６】
0004218038.tif 000007
【図７】
0004218038.tif 000008
【図８】
0004218038.tif 000009